【手続補正書】
【提出日】平成21年1月13日(2009.1.13)
【手続補正１】
【補正対象書類名】特許請求の範囲
【補正対象項目名】全文
【補正方法】変更
【補正の内容】
【特許請求の範囲】
【請求項１】
Ｗｅｂページをブラウザで閲覧可能なクライアント端末にネットワークを介して接続され、  
前記ネットワークを介して現在接続しているクライアント端末についての足跡データと前記ネットワークを介して現在接続していないクライアント端末についての足跡データとを記憶し、
ＷｅｂサーバからＷｅｂページを受信したブラウザから、当該受信されたＷｅｂページの閲覧要求とは非同期になされた足跡データ更新要求を受信した場合に、当該受信されたＷｅｂページについての前記記憶している足跡データを更新し、
ＷｅｂサーバからＷｅｂページを受信したブラウザから、当該受信されたＷｅｂページの閲覧要求とは非同期になされた足跡データ送信要求を受信した場合に、当該受信されたＷｅｂページの一部に書き込み可能な当該受信されたＷｅｂページについての前記記憶している足跡データを当該ブラウザに対して送信する、
ことを特徴とする足跡提供装置（送信される足跡データが、常に、足跡提供装置に現在接続しているクライアント端末についての足跡データのみとされる足跡提供装置を除く）。
【請求項２】
Ｗｅｂページをブラウザで閲覧可能なクライアント端末にネットワークを介して接続され、  
前記ネットワークを介して現在接続しているクライアント端末についての足跡データと前記ネットワークを介して現在接続していないクライアント端末についての足跡データとを記憶し、
ＷｅｂサーバからＷｅｂページを受信したブラウザから、当該受信されたＷｅｂページを識別するＷｅｂページ識別子と閲覧者を識別する足跡識別子とを特定可能な当該受信されたＷｅｂページの閲覧要求とは非同期になされた足跡データ更新要求を受信した場合に、当該受信した足跡データ更新要求によりＷｅｂページ識別子と足跡識別子とを特定し、当該特定したＷｅｂページ識別子と足跡識別子とを用いて、当該受信されたＷｅｂページについての前記記憶している足跡データを更新し、
ＷｅｂサーバからＷｅｂページを受信したブラウザから、当該受信されたＷｅｂページを識別するＷｅｂページ識別子が特定可能な当該受信されたＷｅｂページの閲覧要求とは非同期になされた足跡データ送信要求を受信した場合に、当該受信した足跡データ送信要求によりＷｅｂページ識別子を特定し、当該特定したＷｅｂページ識別子を用いて、当該受信されたＷｅｂページの一部に書き込み可能な当該受信されたＷｅｂページについての前記記憶している足跡データを当該ブラウザに対して送信する、
ことを特徴とする足跡提供装置（送信される足跡データが、常に、足跡提供装置に現在接続しているクライアント端末についての足跡データのみとされる足跡提供装置を除く）。
【請求項３】
Ｗｅｂページをブラウザで閲覧可能なクライアント端末と、前記クライアント端末にネットワークを介して接続された請求項１または請求項２に記載の足跡提供装置と、を備えたことを特徴とする足跡提供システム。
【手続補正２】
【補正対象書類名】明細書
【補正対象項目名】発明の名称
【補正方法】変更
【補正の内容】
【発明の名称】足跡提供装置、足跡提供システム
【手続補正３】
【補正対象書類名】明細書
【補正対象項目名】０００５
【補正方法】変更
【補正の内容】
【０００５】
本発明は、Ｗｅｂページをブラウザで閲覧可能なクライアント端末にネットワークを介して接続され、前記ネットワークを介して現在接続しているクライアント端末についての足跡データと前記ネットワークを介して現在接続していないクライアント端末についての足跡データとを記憶し、ＷｅｂサーバからＷｅｂページを受信したブラウザから、当該受信されたＷｅｂページの閲覧要求とは非同期になされた足跡データ更新要求を受信した場合に、当該受信されたＷｅｂページについての前記記憶している足跡データを更新し、ＷｅｂサーバからＷｅｂページを受信したブラウザから、当該受信されたＷｅｂページの閲覧要求とは非同期になされた足跡データ送信要求を受信した場合に、当該受信されたＷｅｂページの一部に書き込み可能な当該受信されたＷｅｂページについての前記記憶している足跡データを当該ブラウザに対して送信する、ことを特徴とする足跡提供装置（送信される足跡データが、常に、足跡提供装置に現在接続しているクライアント端末についての足跡データのみとされる足跡提供装置を除く）である。
【手続補正４】
【補正対象書類名】明細書
【補正対象項目名】０００７
【補正方法】変更
【補正の内容】
【０００７】
本発明に係る足跡提供装置は、より具体的には、次のように構成することが好ましい。すなわち、Ｗｅｂページをブラウザで閲覧可能なクライアント端末にネットワークを介して接続され、前記ネットワークを介して現在接続しているクライアント端末についての足跡データと前記ネットワークを介して現在接続していないクライアント端末についての足跡データとを記憶し、ＷｅｂサーバからＷｅｂページを受信したブラウザから、当該受信されたＷｅｂページを識別するＷｅｂページ識別子と閲覧者を識別する足跡識別子とを特定可能な当該受信されたＷｅｂページの閲覧要求とは非同期になされた足跡データ更新要求を受信した場合に、当該受信した足跡データ更新要求によりＷｅｂページ識別子と足跡識別子とを特定し、当該特定したＷｅｂページ識別子と足跡識別子とを用いて、当該受信されたＷｅｂページについての前記記憶している足跡データを更新し、ＷｅｂサーバからＷｅｂページを受信したブラウザから、当該受信されたＷｅｂページを識別するＷｅｂページ識別子が特定可能な当該受信されたＷｅｂページの閲覧要求とは非同期になされた足跡データ送信要求を受信した場合に、当該受信した足跡データ送信要求によりＷｅｂページ識別子を特定し、当該特定したＷｅｂページ識別子を用いて、当該受信されたＷｅｂページの一部に書き込み可能な当該受信されたＷｅｂページについての前記記憶している足跡データを当該ブラウザに対して送信する、ことを特徴とする足跡提供装置（送信される足跡データが、常に、足跡提供装置に現在接続しているクライアント端末についての足跡データのみとされる足跡提供装置を除く）である。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
足跡データは、Ｗｅｂページの閲覧に関するデータであって、少なくともＷｅｂページ閲覧者を特定するデータを含む。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
足跡データ更新要求は、足跡データの更新を要求する信号であって、この信号により、Ｗｅｂページ識別子と足跡識別子とを特定することが可能とされる（たとえば、足跡データ更新要求を構成するビット列の一部や、このビット列に付随するビット列などが、Ｗｅｂページ識別子と足跡識別子とを示すビット列とされる）。
【手続補正１１】
【補正対象書類名】明細書
【補正対象項目名】００１５
【補正方法】変更
【補正の内容】
【００１５】
Ｗｅｂページ識別子と足跡識別子とにより、どのＷｅｂページを誰が閲覧したかということが分かり、これらを用いて、足跡データが更新される。なお、たとえば足跡データ更新要求を受信した日時などをＷｅｂページ識別子及び足跡識別子とともに用いて、足跡データを更新することもできる。
【手続補正１２】
【補正対象書類名】明細書
【補正対象項目名】００１６
【補正方法】変更
【補正の内容】
【００１６】
足跡データ送信要求は、足跡データの送信を要求する信号であり、この信号により、Ｗｅｂページ識別子を特定することが可能とされる（たとえば、足跡データ送信要求を構成するビット列の一部や、このビット列に付随するビット列などが、Ｗｅｂページ識別子を示すビット列とされる）。
【手続補正１３】
【補正対象書類名】明細書
【補正対象項目名】００１７
【補正方法】変更
【補正の内容】
【００１７】
足跡データは、ブラウザによってＷｅｂページの一部に書き込むことができ、これにより、足跡データをＷｅｂページに書き込む機能を有しないＷｅｂサーバから送信されるＷｅｂページについても、足跡を付けることができる。
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】変更
【補正の内容】
【００２４】
なお、Ｗｅｂページの閲覧要求とは、足跡提供装置に対するＷｅｂページの閲覧要求をいう。